(57)【要約】 【課題】  錠が扉の外壁面から極力突出しないような、或いは略突出しない新型の錠の駆動力伝達機構を提案すること。【解決手段】扉の端部内に設けられた錠箱と、この錠箱内に回動自在に設けられたダルマと、このダルマの係合部に対して駆動片が係合するように錠箱に固定された錠と、この錠の鍵穴に合鍵を差し込んでロータを所定量回転すると、前記駆動片が回転してダルマが回転する錠の駆動力伝達機構に於いて、前記錠の後端部の周壁部に前記ダルマ６が位置するように錠を錠箱７内に挿入し、また、錠の後端部側に、前記駆動片に係合する第１係合部２８と、この第１係合部２８から前記ダルマ６と係合するように連設する第２係合部２９とを有し、かつ、駆動片と共に共働回転する係合回転体２６を配設したことを特徴とする。【選択図】  図３
2005299168.tif 000002
【特許請求の範囲】
【請求項１】
扉の端部内に設けられた錠箱と、この錠箱内に回動自在に設けられたダルマと、このダルマの係合部に対して駆動片が係合するように錠箱に固定された錠と、この錠の鍵穴に合鍵を差し込んでロータを所定量回転すると、前記駆動片が回転してダルマが回転する錠の駆動力伝達機構に於いて、前記錠の後端部の周壁部に前記ダルマ６が位置するように錠を錠箱７内に挿入し、また、錠の後端部側に、前記駆動片に係合する第１係合部２８と、この第１係合部２８から前記ダルマ６と係合するように連設する第２係合部２９とを有し、かつ、駆動片と共に共働回転する係合回転体２６を配設したことを特徴とするシリンダー錠の駆動力伝達機構。
【請求項２】
請求項１に於いて、係合回転体２６は、中央部にメス状第１係合部２８を有する垂直板部２７と、この垂直板部２７の周壁部から錠の先端部側に延びる腕状第２係合部２９とを有することを特徴とするシリンダー錠の駆動力伝達機構。
【請求項３】
請求項１又は請求項２に於いて、錠の後端部の後方には、係合回転体２６と係合する前方係合部３７及びサムターン軸１２と係合する後方係合部３８を有し、かつ、駆動片１０の同軸上で回転するサムターン側連動体３６が配設されていることを特徴とするシリンダー錠の駆動力伝達機構。
【請求項４】
請求項１に於いて、ダルマ６は、扉１に形成された前方開口部１６乃至錠箱７内に略収まった錠保護筒４０の外周壁の回りにダルマ受けを介して回転可能に設けられていることを特徴とするシリンダー錠の駆動力伝達機構。
【請求項５】
請求項１に於いて、錠２の先端部に係合する複数個の係合爪４６を有する錠或いは錠保護筒用の環状ストッパー部材４５が設けられていることを特徴とするシリンダー錠の駆動力伝達機構。
【発明の詳細な説明】
【技術分野】
【０００１】
本発明は、扉に取り付けられる錠の駆動力伝達機構に関する。
【背景技術】
【０００２】
図１２及び図１３は、従来のシリンダー錠の駆動力伝達機構の典型例を示す概念的な説明図である。１は扉、２は扉１の外壁面１ａに少なくとも先端部分が突出するように固定されたシリンダー錠（以下、「錠」という）、３はシリンダー錠用取付け台座、一方、４は扉１の内壁面１ｂに取り付けられたサムターン、５はサムターン用取付け台座、そして、６は錠箱７内に回動自在に設けられたダルマ（当業者用語）である。
【０００３】
この典型的な従来の錠の駆動力伝達機構Ｙは、合鍵８を錠２の鍵穴に差込み、所定量回転すると、錠２の外筒内のロータ９（駆動軸も含む）が回転し、ロータ９の尾部に固定的に設けられた「テールピース（当業者用語）」と称される駆動片１０が回転して前記ダルマ６が回転する。この場合、ダルマ６が回転するのは、断面マイナス又はプラス型の駆動片１０が、図１３（ダルマの一部）で示すようにダルマ６のクラッチ的係合孔１１に直接的に係合しているからである。なお、駆動片１０によってダルマ６が所定量回転すると、ダルマ６に係合する室内側のサムターン軸１２及びサムターン回転機構部１３を介してサムターン摘み１４も回転するのは周知の事項である。
【０００４】
上記構成に於いては、挿入した合鍵８又は摘み１４を回転すると、駆動片１０或いはサムターン軸１２によってダルマ６が回転するので、駆動力（操作力）の伝達そのものには全く問題がないが、錠２の尾部の駆動片１０がダルマ６の中心部のクラッチ孔に係合していることから、結局、錠２を扉１の外壁面１ａから著しく突出するように扉１乃至錠箱７に固定しなければならないという問題点がある。そこで、錠２が扉１の外壁面１ａから極力突出しないような、或いは略突出しない新型の錠の駆動力伝達機構の出現が要望されている。
【特許文献１】特開公開２０００−１９２６９７号公報…典型例
【特許文献２】特開公開２０００−２５６７３６号公報…錠の構造
【特許文献３】特開公開平１１−３２４４２６号公報…錠の構造
【発明の開示】
【発明が解決しようとする課題】
【０００５】
本発明の第１の目的は、錠が扉の外壁面から極力突出しないような、或いは略突出しない新型の錠の駆動力伝達機構を提案することである。第２の目的は、主要部を構成する部材の部品点数を少なくし、各部材を簡単に組み合わせることである。付加的目的として、係合回転体を回転すると、サムターン摘みも一緒に回転することである。さらに、付加的目的として、錠を保護しながら主要部の部材を錠箱に組み込むことである。
【課題を解決するための手段】
【０００６】
本発明の錠の駆動力伝達機構は、扉の端部内に設けられた錠箱と、この錠箱内に回動自在に設けられたダルマと、このダルマの係合部に対して駆動片が係合するように錠箱に固定された錠と、この錠の鍵穴に合鍵を差し込んでロータを所定量回転すると、前記駆動片が回転してダルマが回転する錠の駆動力伝達機構に於いて、前記錠の後端部の周壁部に前記ダルマ６が位置するように錠を錠箱７内に挿入し、また、錠の後端部側に、前記駆動片に係合する第１係合部２８と、この第１係合部２８から前記ダルマ６と係合するように連設する第２係合部２９とを有し、かつ、駆動片と共に共働回転する係合回転体２６を配設したことを特徴とする。ここで「錠」は、内部構造如何を問わず、シリンダー錠を意味する。
【発明の効果】
【０００７】
（１）複数個の係合部を有する係合回転体を設けたので、錠を、扉の外壁面から極力突出しないように、或いは略突出しないように扉乃至錠箱に取り付けることができる。したがって、化粧板を設ける場合には、台座状ではなく、薄板状にすることができる。
（２）主要部を構成する部材は、少なくともダルマ６と係合回転体２６の「ニ物品」から成るので、非常に部品点数が少ない。したがって、各部材を簡単に組み合わせることができる。
（３）請求項３に記載の発明は、係合回転体を回転すると、サムターン摘みも一緒に回転する。したがって、錠とサムターンとを同一軸上に組み合わせができる。
（４）請求項４に記載の発明は、錠を保護しながら主要部の部材を錠箱に組み込むことができる。
（５）請求項４に記載の発明は、錠を直接又は錠保護筒を介して固定することができる。
【発明を実施するための最良の形態】
【０００８】
以下、図１乃至図１１に示す本発明を実施するための最良の形態により説明する。なお、説明の便宜上、図１２及び図１３の従来の典型例の説明図で使用した符号を援用し、重複する説明を省略する。
【０００９】
（１）発明の実施の環境
図１乃至図３は発明の実施の環境を示す各概略説明図である。図１乃至図３に於いて、Ｘは新型の錠の駆動力伝達機構、１は扉、１ａは扉の外壁面、１ｂは扉の内壁面、２はその後端部が錠箱内に挿入されたシリンダー錠（以下、同様に「錠」）、３Ａは従来の取付け台座３と比較すると、台状ではなく、薄肉の板状化粧板（通称、エスカチオン）、４はサムターン、５はサムターン用取付け台座、６はダルマ、７は扉の端部内に設けられた錠箱、８は合鍵、９は外筒内のロータ、１０は駆動片（例えばテールピース）、１２はサムターン軸、１３は筒体を含むサムターン回転機構部、１４は摘みである。従来のダルマ６のクラッチ的係合孔１１に相当する係合孔２８は、後述の駆動片（例えばテールピース）１０と共に共働回転する係合回転体２６に形成されている。
【００１０】
なお、新型の錠の駆動力伝達機構Ｘも、従来の錠の駆動力伝達機構Ｙと同様に合鍵８又はサムターン摘み１４を回転すると、駆動片１０或いはサムターン軸１２の操作力（駆動力）によってダルマ６が回転する。
【００１１】
（２）基本的な部材
上記の構成に於いて、本発明は、図５乃至図７の主たる部材の組み合わせ状態から明らかなように、基本的には、錠２の後端部（外筒体）２ａの周壁部に位置するように該外筒体２ａに直接又は間接的（本実施例）に外嵌合するダルマ６と、錠２の駆動片１０に係合するメス状第１係合部及び前記ダルマ６と係合する腕状第２係合部とを有し、かつ、駆動片１０と共に共働回転する係合回転体２６を備えたことである。
【００１２】
そして、付加的に、この係合回転体２６と係合する前方係合部４１及びサムターン軸１２と係合する後方係合部４２を有し、かつ、駆動片１０の同軸上（本実施例）で回転するサムターン側連動体３６と備えたことである。これらの基本的及び付加的構成部材６．２６．３６に、さらに、錠保護筒４０、錠用ストッパー部材４５、硬度の表面壁部を有する飾り板５０などが付随的事項として加味されている。
【００１３】
以下、本発明の特定要件について順次説明するが、細部的な事項は図面及びその説明を割愛する。
【００１４】
（２）錠保護筒４０とダルマ６
図３及び図５で示すように、本実施例のダルマ６は、浸炭焼入れされた錠保護筒４０の外周壁の回りに回転自在に設けられている。錠保護筒４０は、扉１に形成された前方開口部１６乃至錠箱７内に略収まっている。錠保護筒４０の形態については任意に設計可能であるが、例えば断面大径の前方筒部４１と、この前方筒部に連設する断面小径の後方筒部４２とを有し、扉１の内壁面１ｂ側から挿入される図示しない複数本の固着具により扉１又は錠箱７に固定される。本実施例のダルマ６は、錠保護筒４０の後方筒部４２を介して錠２の外筒体２ａの周壁部に対して囲むように位置している。
【００１５】
ダルマ６は、図３で示すように、錠箱７の側壁７ａ．７ｂに固定的に設けられたダマル受け１７．１７に支持され、駆動片１０或いはサムターン軸１２の操作力（駆動力）によって所定量回転する。
【００１６】
ダルマ６は、図３乃至図５で示すように、錠保護筒４０の後方筒部４２に所要の間隙を有して外嵌合する環状部１８と、この環状部１８の周壁部から半径外方向に延びる板状の駆動アーム１９とを有し、前記環状部１８を形成する比較的大きな嵌合孔２０の内周面の適宜箇所には、単数又は複数（本実施例）の係合回転体２６用の係合部（凸又は凹）２１が形成されている。一方、前記駆動アーム１９には、クリックバネ（符号略）の一端部取付け用の突起ピン２２が取り付けられている。
【００１７】
ところで、ダルマ６の駆動アーム１９は、図２で示すように施錠片（例えばデッドボルト）２３の後端部の衝突係合部２３ａに選択的に係合可能であるから、施錠片２３はダルマ６の回転によって進退動し、戸枠（或いは床面）２４の受け金具（或いは床面の係合凹所）２５に係脱する。
【００１８】
（３）係合回転体２６
２７の中央部に、錠２の駆動片１０に係合するメス状第１係合部２８が形成されている。次に、垂直板部２７の周壁部の適宜箇所には、錠２の先端部側へと折り曲げられて水平方向に延びる単数又は複数（本実施例）の腕状第２係合部２９が形成されている。さらに、垂直板部２７の周壁部の適宜箇所（例えば第２係合部２８の突起状根元部分２８ａに対して交差する部位）には、サムターン側連動体３６の突起状前方係合部３７が係合するメス状第３係合部３０が単数又は複数（本実施例）形成されている。
【００１９】
図３で示すように、係合回転体２６を錠２に組み合わせた場合に於いて、係合回転体２６の垂直板部２７は、錠２の挿入後端部の後端面に添えるように位置し、一方、二本の腕状第２係合部２９．２９は、錠保護筒４０の後方筒部４２を抱えるようにダルマ６の係合回転体用の係合部２１．２１にそれぞれ係合している。
【００２０】
したがって、前記垂直板部２７のメス状第１係合部２８は、前述したように、従来のダルマ６のクラッチ的係合孔１１に相当するから、該第１係合部２８には駆動片１０が挿入係合する。一方、垂直板部２７の腕状第２係合部２９．２９は、いわば駆動片１０の一部を構成し、ダルマ６の係合部２１に係合する。
【００２１】
（４）サムターン側連動体３６
サムターン側連動体３６は、本実施例では筒状に形成され、錠２の後方に配設されている。前述したように、サムターン側連動体３６は、係合回転体２６のメス状第３係合部３０と係合する前方係合部３７と、サムターン軸１２と係合する後方係合部３８とを有する。本発明の目的（錠が扉の外壁面から極力突出しないようにすること）との関係では、サムターン側連動体３６の存在は、発明の特定要件ではない。したがって、連動体３６が筒状体であるか否か、その具体的構成は特に問わない。
【００２２】
（５）作用
新型の錠の駆動力伝達機構Ｘも、従来の錠の駆動力伝達機構Ｙと同様である点は、前述したとおりである。すなわち、合鍵８を操作すると、係合回転体２６は駆動片１０と共に共働回転するから、該係合回転体２６によってダルマ６が回転し、ダルマ６の駆動アームにより施錠片２３が進退動する。また、係合回転体２６或いは錠２と同軸上に設けられたサムターン側連動体３６を介してサムターン摘み１４も一緒に回転する。
【００２３】
しかして、本発明の特徴点に視点を置くと、図３で示すように、本発明の錠の駆動力伝達機構Ｘは、係合回転体２６の腕状第２係合部２９．２９がダルマ６の環状部１８の内周壁１８ａに形成した半径方向の係合部２１．２１に係合することから、ダルマ６の位置と第２係合部２９．２９の長さ「Ｌ」との係合関係に相関して錠２の突出量を任意に設定することができる。
【実施例】
【００２４】
本実施例では、錠２の先端部に係合する複数個の係合爪４６を有する錠用環状ストッパー部材４５が設けられている。このストッパー部材４５は、例えば錠保護筒４０に固着具を介して固定されている。したがって、錠２はストッパー部材４５によって規制されるから、錠２を容易にもぎ取ることができない。またストッパー部材４５を設けると、錠２を所定の位置で確実に止めることができるなどの効果を有するが、本発明の特定要件の効果ではない。
【００２５】
さらに、本実施例では、係合回転体２６の第２係合部２９は、錠の先端部側に腕状に延びて（連設して）いるが、必ずしも腕状である必要はなく、例えば枝状、筒状など任意の形状で延びていても良い。要はダルマ６が錠２の外筒体（後端部）２ａの周壁部に位置し、係合回転体２６の中心部の第１係合部２８が錠２の駆動片１０に係合すると共に、その第２係合部２９がダルマ６の係合部２１まで延びて係合していれば良い。
【産業上の利用可能性】
【００２６】
本発明は、主に建具や錠前の業界で利用される。
【図面の簡単な説明】
【００２７】
図１乃至図１１は本発明の最良の実施例を示す各説明図。図１２及び図１３は、従来の典型例の説明図。
【図１】扉の外壁面側から見た斜視図。
【図２】扉の外壁面側から見た正面図であり、扉などを切欠して錠、ダルマ、施錠片、化粧板などを概略的に示している。
【図３】主要部の一部概略断面説明図。
【図４】基本的構成部材（錠、ダルマ、係合回転体）を含む斜視図。
【図５】錠とダルマとの関係を示す説明図。
【図６】ダルマと係合回転体との関係を示す説明図。
【図７】係合回転体と従属的なサムターン側連動体との関係を示す説明図。
【図８】錠の駆動片と係合回転体との関係を示す概略断面説明図。
【図９】ダルマの縦断面図。
【図１０】係合回転体の縦断面図。
【図１１】係合回転体がサムターン側連動体と係合可能である旨の概略断面説明図。
【図１２】従来の典型例の概念的説明図。
【図１３】従来の錠の駆動片とダルマとの関係を示す説明図。
【符号の説明】
【００２８】
Ｘ…錠の駆動力伝達機構、1…扉、１ａ…扉の外壁面、１ｂ…扉の内壁面、２…シリンダー錠（錠）、２ａ…錠の外筒体、３Ａ…板状化粧板、４…サムターン、５…サムターン用取付け台座、６…ダルマ、７…錠箱、８…合鍵、９…外筒内のロータ、１０…駆動片（テールピース）、１２…サムターン軸、１３…サムターン回転機構部、１４…摘み、１６…扉の開口部、１７…ダマル受け、１８…環状部、１８ａ…内周壁、１９…駆動アーム、２０…嵌合孔、２１…係合部（凸又は凹）、２３…施錠片、２４…戸枠（或いは床面）、２５…受け金具、２６…係合回転体、２７…垂直板部、２８…メス状第１係合部、２９…腕状第２係合部、３０…メス状第３係合部、３６…サムターン側連動体、４０…錠保護筒、４１…前方筒部、４２…後方筒部、４５…錠用ストッパー部材。
【図１】
2005299168.tif 000003
【図２】
2005299168.tif 000004
【図３】
2005299168.tif 000005
【図４】
2005299168.tif 000006
【図５】
2005299168.tif 000007
【図６】
2005299168.tif 000008
【図７】
2005299168.tif 000009
【図８】
2005299168.tif 000010
【図９】
2005299168.tif 000011
【図１０】
2005299168.tif 000012
【図１１】
2005299168.tif 000013
【図１２】
2005299168.tif 000014
【図１３】
2005299168.tif 000015